(57)【特許請求の範囲】
【請求項１】
シート体の長手方向に所定の間隔でミシン目が形成されたウェットティッシュのロール体を収納する容器本体と、
上記容器本体に形成された上記ウェットティッシュを取り出す取出口を有する取出部と、
上記取出部を開閉する蓋体とを備え、
上記取出部は、上記取出口を開閉するスライダを有し、該スライダをスライドさせて該取出口を閉塞したときに、上記ウェットティッシュと係合し該ウェットティッシュを１枚ずつ引き出す係合孔が設けられ、
上記スライダは、上記取出口を閉塞するスライド方向における該スライダの先端部に、該取出口を閉塞したときの上記係合孔となる切り欠きが形成されている収納容器。
【請求項２】
上記スライダは、該スライダの主面上に上記係合孔を有し、該取出口を閉塞するスライド方向における該スライダの先端部から該係合孔に亘ってスリットが形成されている請求項１記載の収納容器。
【請求項３】
上記スライダは、上記ウェットティッシュを引き出す引出し方向に対して直交する平面内を回動移動する請求項１乃至請求項２のいずれか１項記載の収納容器。
【請求項４】
上記スライダは、上記ウェットティッシュを引き出す引出し方向に対して直交する平面に対し傾斜した平面内をスライド移動する請求項１乃至請求項２のいずれか１項記載の収納容器。
【請求項５】
上記取出部は、略扇形の複数のスライダを有し、各スライダが取出口中心方向に放射状にスライドして近接離間することにより上記取出口を開閉するとともに、各スライダが集まり取出口を閉塞したときに、該取出口の中心にウェットティッシュを１枚ずつ引き出すための係合孔を上記複数のスライダの切り欠きにより形成してなる請求項１の収納容器。
【請求項６】
上記取出部は、上記スライダがスライドして上記取出口を閉塞した位置で該スライダを係止する係止部を有する請求項１乃至５のいずれか１項記載の収納容器。
【請求項７】
上記スライダは、上記取出口を閉塞するスライド方向に付勢する付勢手段が設けられる請求項１乃至７のうちのいずれか１項記載の収納容器。
【発明の詳細な説明】
【技術分野】
【０００１】
本発明は、ウェットティッシュを収納する収納容器に関し、特に、シート体の長手方向に所定の間隔でミシン目が形成されたウェットティッシュのロール体を収納する収納容器に関する。
【背景技術】
【０００２】
シート体の長手方向に所定の間隔でミシン目が形成されたウェットティッシュのロール体を収納するものとしては、特許文献１のような収納容器がある。特許文献１の収納容器には、容器本体の上面にウェットティッシュを引き出すことができ、かつ、ウェットティッシュと係合され切り離す係合孔が形成され、係合孔の周囲には、十字形状等の切り込みスリットが設けられている。
【０００３】
特許文献１の収納容器は、周囲に十字形状等の切り込みスリットが設けられた係合孔から収納するウェットティッシュを略上方に引き出すとき、引き出されたウェットティッシュが係合孔を通過する際に、隣接する切り込みスリットによって形成された係合孔の周囲の弾性係合片にウェットティッシュが係合され、係合された状態でさらにウェットティッシュを略上方に引き出すことで、ウェットティッシュに形成されたミシン目の位置でウェットティッシュを切り離すことができる。
【０００４】
特許文献１に示すような収納容器では、使用開始時やウェットティッシュが途中で切れてしまったときに、容器本体内にあるシート体の端部を係合孔の裏面側から挿通する作業を行わなければならない。そして、係合孔は、上述のように、ウェットティッシュが１枚ずつ切り離せるようにするためにある程度穴径が小さく形成されていることから、この挿通作業に手間がかかっていた。
【０００５】
そこで、特許文献２に示すように、上述の挿通作業を容易にするための取出口が設けられる収納容器も提案されている。特許文献２の収納容器は、取出口と係合孔とが連続する連続口が設けられている。
【０００６】
特許文献２の収納容器は、係合孔及び取出口を閉塞する蓋体が設けられ、ウェットティッシュに含浸された水分、アルコール分等の蒸散防止を図っているが、取出口が常に開口状態にある。そして、この収納容器では、使用のたびに、蓋体を開けることで、ウェットティッシュに含浸された水分、アルコール分等が取出口から蒸散することとなる。
【先行技術文献】
【特許文献】
【０００７】
【特許文献１】特開平０８−１０４３７７号公報
【特許文献２】特開２００７−２１７０５４
【発明の概要】
【発明が解決しようとする課題】
【０００８】
本発明は、上述の実情に鑑みてなされたものであり、ウェットティッシュを１枚ずつ引き出し切り離せるようにするための係合孔へのウェットティッシュの取り付けを容易にするとともに、ウェットティッシュに含浸された水分、アルコール分等の蒸散を防止することができる収納容器を提供することを目的とする。
【課題を解決するための手段】
【０００９】
上述した目的を達成するために本発明に係る収納容器は、シート体の長手方向に所定の間隔でミシン目が形成されたウェットティッシュのロール体を収納する容器本体と、上記容器本体に形成された上記ウェットティッシュを取り出す取出口を有する取出部と、上記取出部を開閉する蓋体とを備える。そして、上記取出部は、上記取出口を開閉するスライダを有し、該スライダをスライドさせて該取出口を閉塞したときに、上記ウェットティッシュと係合し該ウェットティッシュを１枚ずつ引き出す係合孔が設けられ、さらに、上記スライダは、上記取出口を閉塞するスライド方向における該スライダの先端部に、該取出口を閉塞したときの上記係合孔となる切り欠きが形成されている。
【発明の効果】
【００１０】
本発明によれば、使用開始時等にウェットティッシュを係合孔に簡便な操作によりセットすることができるので、使用開始時等の煩雑な作業がない。
【００１１】
また、取出口が開放された状態になく、容器本体の密閉性を保つことができ、収納されるウェットティッシュに含浸された水分、アルコール分等の蒸散を防止することができる。
【図面の簡単な説明】
【００１２】
【図１】本発明を適用した収納容器の全体斜視図である。
【図２】取出部の上蓋表面側からの斜視図である。
【図３】（Ａ）は、取出部の上蓋裏面側からの平面図であり、（Ｂ）は、取出部の上蓋裏面側からの取出口の開放状態を示した斜視図である。
【図４】（Ａ）は、第２の実施の形態として示す取出部の上蓋裏面側からの平面図であり、（Ｂ）は、取出部の上蓋裏面側からの取出口の開放状態を示した斜視図である。
【図５】（Ａ）は、第３の実施の形態として示す取出部の上蓋表面側からの取出口の開放状態を示した平面図であり、（Ｂ）は、取出部の上蓋表面側からの取出口の閉塞状態を示した平面図である。
【図６】（Ａ）は、第４の実施の形態として示す取出部の上蓋表面側からの斜視図であり、（Ｂ）は、取出部の上蓋表面側からの取出口の開放状態を示した平面図である。
【図７】（Ａ）は、第４の実施の形態として示す取出部の取出口を閉塞した状態を示した縦断面図であり、（Ｂ）は、取出部の取出口を開放した状態を示した縦断面図である。
【図８】（Ａ）は、第５の実施の形態として示す取出部の取出口を閉塞した状態を示した上蓋裏面側からの斜視図であり、（Ｂ）は、取出部の上蓋裏面側からの取出口の開放状態を示した斜視図であり、（Ｃ）は、スライダの断面図である。
【図９】（Ａ）は、第６の実施の形態として示す取出部の取出口を閉塞した状態を示した上蓋表面側からの斜視図であり、（Ｂ）は、取出部の上蓋表面側からの取出口の開放状態を示した平面図であり、（Ｃ）は、取出部の上蓋表面側からの取出口の閉塞状態を示した平面図である。
【発明を実施するための形態】
【００１３】
以下、本発明を適用した収納容器１について、図面を参照して詳細に説明をする。
【００１４】
１．全体構成
本発明の収納容器１は、図１に示すように、全体が略円筒形状であり、シート体の長手方向に１回の使用分に対応した間隔でミシン目１１０が形成されたウェットティッシュ１００のロール体１０５を収納する。ここで、収納容器１に収納されるウェットティッシュ１００のロール体１０５は、紙や不織布等の基布に使用目的に応じて、水、アルコール、除菌剤、防腐剤及び香料等の液体を含浸させたものであり、ウェットティッシュ１００の長手方向に１回の使用分に対応した間隔でミシン目１１０が形成されている。
【００１５】
また、収納容器１は、ウェットティッシュ１００のロール体１０５を収納する容器本体４を有する。この容器本体４は、ウェットティッシュ１００のロール体１０５が収納されるケース２と、このケース２の上面に取り付けられる上蓋３とからなる。容器本体４のケース２は、上面に開口部２ａを有する略円筒形状であり、ロール体１０５が収納できる高さに形成されている。容器本体４の上蓋３は、ケース２の開口部２ａを閉塞する蓋であり、例えば、ケース２に螺着される。
【００１６】
上蓋３は、その上面３ａの略中央にウェットティッシュ１００を取り出す取出部５と、この取出部５を開閉するように上蓋３の上面に回動可能に設けられた蓋体６とを備えている。取出部５の詳細については、後述する。
【００１７】
このような構成を備える収納容器１は、ポリプロピレン（ＰＰ）、ポリエチレン（ＰＥ）、ポリ塩化ビニル（ＰＶＣ）等の熱可塑性樹脂を用いて射出成形等により成型される。
【００１８】
なお、収納容器１は、全体が略円筒形状に限定されるものではなく、円柱形状、箱形状等に設けてもよい。また、収納容器１に収納されるウェットティッシュ１００は、上述のように、ロール体１０５からなりミシン目１１０において、１枚ずつ切り離される構成とすることに限らず、略矩形のシート体を多数枚重ね合わせて積層体を形成したいわゆるポップアップ式のウェットティッシュであってもよい。
【００１９】
容器本体４のケース２の開口部２ａに取り付けられる上蓋３には、上蓋３の上面の略中央に、蓋体６が収納される凹部７が形成されている。凹部７は、略円形形状であり、凹部７の略中央に第１の環状壁部８が立ち上がり形成されている。第１の環状壁部８には、第１の環状壁部８の内側に、ウェットティッシュ１００を取り出す取出部５が形成されている。
【００２０】
取出部５を開閉する蓋体６は、図１に示すように、薄板形状であり、上蓋３の上面に回動支持部９により回動可能に設けられている。回動支持部９は、熱可塑性樹脂を用いて射出成形等により上蓋３と一連一体に成型し、直線的に薄肉に形成されている。
【００２１】
なお、回動支持部９は、上蓋３と一連一体に成型するものに限定されるものでなく、回動軸を用いて回動可能に支持するように設けてもよい。
【００２２】
取出部５を開閉する蓋体６は、閉塞したとき、図示はしないが、凹部７との間に間隙部を有して収納される。蓋体６には、自由端側に指掛部６ａが形成されている。蓋体６が取出部５を閉塞するとき指掛部６ａが臨む上蓋３の上面には、指掛用凹部１１が形成されている。指掛部６ａが臨む指掛用凹部１１は、指掛部６ａを間隙部を有して収納できるような幅で上蓋３の回動支持部９の自由端側の外周壁と凹部７とを連結させ、蓋体６の指掛部６ａの裏面と指掛用凹部１１との間に指を引っ掛けて蓋体６を回動させて取出部５を開放できるような深さに形成されている。
【００２３】
また、蓋体６が取出部５を閉塞するとき蓋体６の回動支持部９が臨む上蓋３の上面には、回動支持部用凹部１２が形成されている。回動支持部９が臨む回動支持部用凹部１２は、回動支持部９を間隙部を有して収納できるような幅で上蓋３の回動支持部９側の外周壁と凹部７とを連結させ、蓋体６の回動支持部９が上蓋３の上面からはみ出さないような深さに形成されている。
【００２４】
また、蓋体６には、取出部５に臨む裏面に第２の環状壁部１３が立ち上がり形成されている。第２の環状壁部１３は、蓋体６が取出部５を閉塞したとき、収納容器１の取出部５の周囲に形成された第１の環状壁部８の外周面と嵌合する。これにより、蓋体６が取出部５を閉塞したときは、収納容器１の第１の環状壁部８の外周面と蓋体６の第２の環状壁部１３の内周面とで嵌合し、密閉することができ、収納容器１に収納するウェットティッシュ１００に含侵された液体が揮発するのを防ぐことができる。
【００２５】
２．取出部
続いて、第１の環状壁部８の内側に設けられる取出部５の第１の実施の形態について説明をする。取出部５は、上蓋３の上面３ａの略中央に設けられている。取出部５は、図２、図３（Ａ）、図３（Ｂ）に示すように、ウェットティッシュ１００を使用開始時等に挿通することができる取出口２１を有し、この取出口２１を開閉するスライダ２２とからなる。スライダ２２には、取出口２１を閉塞したときに、ウェットティッシュ１００と係合しウェットティッシュ１００を１枚ずつ引き出すことができる係合孔２３が設けられている。取出部５は、スライダ２２をスライド移動させ、取出口２１を開放した状態とすることで、容器本体４内のウェットティッシュ１００を容易に挿通し、容器本体４内部から外部に臨ませることができる。また、取出部５は、スライダ２２をスライド移動させ、取出口２１を閉塞した状態とすることで、ウェットティッシュ１００が係合孔２３と係合する。
【００２６】
取出部５の取出口２１は、図３に示すように、略半円状であり、ウェットティッシュ１００を通すことができる大きさである。この取出口２１は、例えば親指と人指し指の指先を通すことができる程度の大きさであり、上蓋３の上面３ａ裏面側にあるウェットティッシュ１００を摘むことができる大きさに形成されている。なお、取出口２１の大きさは、上述に限らず、さらに大きいものとしてもよい。
【００２７】
取出部５のスライダ２２は、主面が略矩形の薄板からなり、取出口２１を閉塞できる大きさに形成されている。スライダ２２は、後述するガイド片２７等により、上蓋３の上面３ａ裏面側でスライド可能に支持されている。スライダ２２は、取出口２１を閉塞する方向における先端側となる端辺２２ａに、係合孔２３と、係合孔２３と連続したスリット２４と、閉塞状態を維持するために上蓋３と係合する係合片２５とが設けられている。また、スライダ２２は、スリット２４と略直交する方向に延伸され、係合孔２３と連続するスリット２９が形成されている。スライダ２２は、ケース２と対向する側の主面２２ｂ上でスリット２９近傍に、ユーザにより当該スライダ２２をスライド移動させるための摘み部２６が立設されている。この摘み部２６は、スリット２９近傍に設けられることで、スライダ２２を補強する。また、スライダ２２には、端辺２２ａと直交する両端辺２２ｃ、２２ｄに沿ってスライダ２２をガイドする一対のガイド片２７、２７が係合されている。さらに、スライダ２２は、スライダ２２が取出口２１を開放状態にする位置に設けられる、当該スライダ２２のスライド移動を規制する規制片２８と係合される。
【００２８】
スライダ２２のスライド移動をガイドする一対のガイド片２７、２７は、上蓋３の上面３ａ裏面側で、スライダ２２の端辺２２ｃ、２２ｄと対向する位置近傍に立ち上がり形成されている。この一対のガイド片２７、２７は、先端側が略直角に折り曲げられる折曲部２７ａを有し、断面が略Ｌ字状となっている。一対のガイド片２７、２７は、スライダ２２の両端辺２２ｃ、２２ｄのスライド移動方向をガイド規制するとともに、折曲部２７ａ、２７ａにて、スライダ２２の抜け止めをする。
【００２９】
また、スライダ２２のスライド量を規制する規制片２８は、上蓋３の上面３ａ裏面側で、スライダ２２が取出口２１を開放状態にする位置に立ち上がり形成されている。この規制片２８は、ガイド片２７と同様に、先端側が略直角に折り曲げられる折曲部２８ａを有し、断面略Ｌ字状となっている。規制片２８は、スライダ２２が取出口２１を開放状態とする方向にスライド移動されたときに、当該スライダ２２の停止位置を規定するものであるとともに、折曲部２８ａによりスライダ２２の抜け止めをする。
【００３０】
スライダ２２の係合孔２３は、スライダ２２の端辺２２ａ上の略中央に設けられる。この係合孔２３は、ウェットティッシュ１００が挿通される孔である。係合孔２３は、挿通されるウェットティッシュ１００と当該係合孔２３を構成する周壁とが摩擦係合する。そして、係合孔２３では、この摩擦係合に抗って、さらにウェットティッシュ１００を引き出すことで、ウェットティッシュ１００とミシン目１１０を介して隣接した後段にあるウェットティッシュ１００をミシン目１１０の位置で切り離す。
【００３１】
また、係合孔２３と連続するスリット２４は、端辺２２ａに沿って端辺２２ａを切り欠いて形成される。また、スリット２９は、スライダ２２を、スリット２４と略直交する方向に延伸するように切り欠いて形成される。スライダ２２は、スリット２４、２９により係合孔２３近傍が弾性変位することとなり、これにより係合孔２３に挿通されるウェットティッシュ１００に対して、ある程度の摩擦抵抗を付与する。したがって、スライダ２２は、係合孔２３により、挿通されるウェットティッシュ１００を係合保持することができるとともに、ミシン目１１０において、ウェットティッシュ１００を切り離すことができる。
【００３２】
さらに、上蓋３の係合孔２３と対向する位置には、スライダ２２が取出口２１を閉塞する位置にあるときに、係合孔２３と連続する切欠部３０が形成されている。また、上蓋３のスリット２４、２９と対向する位置には、切欠部３０と同様に、切欠部３１が形成されている。この切欠部３０、３１は、スライダ２２の係合孔２３とスリット２４、２９と同様に、弾性変位することとなり、係合孔２３に挿通されるウェットティッシュ１００に対して、ある程度の摩擦抵抗を付与する。
【００３３】
取出部５は、このスライダ２２のスリット２４、２９と、上蓋３の切欠部３１とにより、図２に示すように、全体略十字状のスリットが形成されることとなる。そして、取出部５は、この略十字状のスリットの交差部に係合孔２３、切欠部３１が形成されることとなる。このように取出部５は、係合孔２３及びこの係合孔２３と連続する切欠部３０にウェットティッシュ１００が挿通され、ウェットティッシュ１００を係合保持することができるとともに、ミシン目１１０において、ウェットティッシュ１００を切り離すことができる。このとき、スリット２４、２９及び切欠部３１により、スライダ２２及び上蓋３が弾性変位することとなり、適度な摩擦抵抗をウェットティッシュ１００に付与する。
【００３４】
なお、スライダ２２及び上蓋３は、スリット２４、２９及び切欠部３１近傍で弾性変位できる程度の厚みであることは勿論である。また、取出部５では、スリット２４、２９、切欠部３１により略十字状のスリットが形成されることについて述べたが、これに限らず、所定のパターンに形成するようにしてもよく、またスリットを設けず、係合孔２３のみであってもよい。
【００３５】
さらに、係合孔２３の周面には、挿通されるウェットティッシュ１００との係合を最適なものとするために、可撓性を有するシリコンゴムを接着するようにしてもよい。
【００３６】
スライダ２２の係合片２５は、端辺２２ａから立設され、両端辺２２ｃ、２２ｄ近傍に一対形成される。係合片２５は、先端に係合凸部２５ａを有する。この係合凸部２５ａは、上蓋３の上面３ａ裏面側に設けられる係合凹部３２ａと係合される。そして、係合凸部２５ａと係合凹部３２ａとが係合されることで、スライダ２２を、取出口２１を閉塞する位置に保持する。
【００３７】
なお、係合片２５は、上述のように、スライダ２２に２箇所設けられることについて述べたが、これに限らず、１つ又は３つ以上設けるようにしてもよい。また、スライダ２２の取出口２１を閉塞する位置に維持する手段として、係合凸部２５ａと係合凹部３２ａとの係合について述べたが、これに限らず、周知の係合手段を備えるものであってもよい。
【００３８】
また、取出部５では、スライダ２２が、ウェットティッシュ１００を引き出す方向と略直交する平面上を直線移動することについて述べたが、これに限らず、この平面上を回動移動する構成であってもよい。さらに、スライダ２２は、ウェットティッシュ１００を引き出す方向と略直交する平面内をスライド移動することに限らず、例えば、ガイド片２７のガイド方向がウェットティッシュ１００の引き出し方向にやや傾斜する方向としてもよい。
【００３９】
さらに、取出部５は、上蓋３の上面３ａ裏面側にスライダ２２、ガイド片２７等が設けられることについて述べたが、これに限らず、上面３ａの表面側に設けるようにしてもよい。このようにすることで、上蓋３を取り外すことなく、容器本体４内部のウェットティッシュ１００を取出口２１から引き出すことができ、さらに簡便な操作で、ウェットティッシュ１００のセットを行うことができる。
【００４０】
さらに、取出部５は、スライダ２２の摘み部２６を、ケース２と対向する側の主面２２ｂ上に設けることに限らない。すなわち、摘み部２６をスライダ２２の上蓋３の上面３ａ裏面と対向する側の主面に設けるようにし、この摘み部が上蓋３の上面３ａ表面側に臨まされるように、上蓋３に開口部を設けるようにしてもよい。このようにすることで、スライダ２２のスライド移動操作を上蓋３の上面３ａ表面側から行うことができ、上蓋３を取り外すことなく、容器本体４内部のウェットティッシュ１００を取出口２１から引き出すことができる。
【００４１】
このように構成される収納容器１は、取出部５のスライダ２２を、取出口２１を開放状態とする位置と、取出口２１を閉塞状態とする位置とに亘ってスライド移動させることができる。すなわち、取出部５は、スライダ２２を取出口２１が開放状態となる位置にスライド移動させることで、ウェットティッシュ１００を容易に挿通することができる。そして、取出部５は、スライダ２２を取出口２１が閉塞された状態となる位置にスライド移動させることで、ウェットティッシュ１００を係合孔２３に挿通された状態とすることができる。したがって、収納容器１では、取出口２１を開放することができ、ウェットティッシュ１００を容器本体４内部から外部に臨ませるという挿通作業を行うことができる。さらに、収納容器１では、簡便な操作により、取出口２１を閉塞することができるので、ウェットティッシュ１００に含浸された水分、アルコール分等の蒸散を防ぐことができる。また、収納容器１では、取出口２１を閉塞するように操作することのみで、従来のようにウェットティッシュ１００を係合孔２３に挿通した状態とすることができる。
【００４２】
３．ウェットティッシュの係合孔へのセット
次に、以上のように構成された収納容器１においてウェットティッシュ１００を係合孔２３に挿通した状態とする方法について説明をする。
【００４３】
収納容器１では、まず前提として、容器本体４内のウェットティッシュ１００が取出部５から外部に臨まされておらず、容器本体４内にあるものとする。
【００４４】
ユーザは、まず、ケース２から上蓋３を取り外し、開口部２ａが開放された状態にする。そして、上蓋３の上面３ａ裏面側にあるスライダ２２を、取出口２１が開放状態となる位置にスライド移動させる。このとき、ユーザは、スライダ２２の摘み部２６を摘むことで、容易にスライド移動させることができる。また、上蓋３には規制片２８が設けられているので、スライダ２２がガイド片２７から抜け落ちることがない。
【００４５】
次に、ユーザは、ケース２内のロール体１０５端部のウェットティッシュ１００を掴み、取出口２１に通す。このとき、取出口２１は、十分な大きさを有するので、容易に通すことができる。
【００４６】
次に、ユーザは、ウェットティッシュ１００が取出口２１に挿通された状態で、スライダ２２を、取出口２１が閉塞状態となる位置で、係合凸部２５ａが係合凹部３２ａと係合されるまでスライド移動させる。このスライド移動に伴い、挿通された状態のウェットティッシュ１００は、係合孔２３に係合される。また、スライダ２２は、係合凸部２５ａが係合凹部３２ａと係合することで、閉塞状態を維持することができる。
【００４７】
このようにして、収納容器１では、簡便な操作によりウェットティッシュ１００を係合孔２３に係合された状態とすることができる。また、収納容器１では、ウェットティッシュ１００を取出部５に挿通するときにのみ、取出口２１を開放状態とし、それ以外の通常使用時には、当該取出口２１が閉塞状態にあることから、ウェットティッシュ１００に含浸された水分、アルコール分等の蒸散を防止することができる。
【００４８】
４．変形例
続いて、収納容器１の取出部５の他の実施の形態について説明をする。なお、以下においては、第１の実施の形態の収納容器１と同一の構成については、同一の符号を付し、その説明を省略する。
【００４９】
４−１  第２の実施の形態
第２の実施の形態として示す収納容器１の取出部４０は、図４（Ａ）、図４（Ｂ）に示すように、取出部５のスライダ２２の、端辺２２ａと対向する端辺２２ｅ側に樹脂により成型される一対のバネ４１が設けられる。そして、取出部４０は、取出部５の規制片２８の代わりに、バネ４１により押圧される押圧面４２ａを有するカバー部材４２が設けられている。バネ４１は、一端４１ａがスライダ２２と一連一体で蛇腹状に形成されている。そして、バネ４１は、カバー部材４２の押圧面４２ａを押圧して、スライダ２２を、取出口２１を閉塞する方向に付勢する。
【００５０】
なお、バネ４１は、上述のように、樹脂成型されるものであることに限らず、スライダ２２を付勢することができるものであれば、いかなるものであってもよい。ただし、バネ４１は、容器本体４内側に配設されることから、金属製のバネを用いる場合には、防錆処理されたものが好ましい。
【００５１】
取出部４０では、スライダ２２にバネ４１が設けられており、スライダ２２を取出口２１を閉塞する方向に付勢するので、ユーザによりスライダ２２を、取出口２１を閉塞する方向にスライド移動させる必要がなく、スライダ２２を手離すだけで、取出口２１を閉塞する位置にスライド移動する。したがって、取出部４０では、取出口２１にウェットティッシュ１００を挿通し、スライダ２２を手離すだけで、自動的に当該ウェットティッシュ１００が係合孔２３に係合された状態となる。
【００５２】
４−２  第３の実施の形態
第３の実施の形態として示す収納容器１の取出部５０は、図５（Ａ）、図５（Ｂ）に示すように、取出部５のスライダ２２と同様に、取出口２１を開閉するようにスライド移動するスライダ５１を有する。この取出部５０のスライダ５１及びスライダ５１をガイドするガイド片２７は、上蓋３の上面３ａ表面側に設けられている。
【００５３】
取出部５０の取出口２１は、図５（Ａ）に示すように、略半円形状であり、ウェットティッシュ１００を通すことができる大きさである。
【００５４】
取出部５０のスライダ５１は、主面が略矩形の薄板からなり、取出口２１を閉塞できる大きさに形成されている。スライダ５１は、取出口２１を閉塞したときに取出口２１の周面と接することがない位置（図５（Ｂ）参照）に設けられる係合孔５２と、係合孔５２と連続し略十字形状に形成された４本のスリット５３とからなる。また、スライダ５１は、取出口２１を閉塞する方向における先端側となる端辺５１ａ側に向かって延びたスリット５３が、端辺５１ａに亘って形成されている。すなわち、この端辺５１ａ側のスリット５３は、係合孔５２と端辺５１ａとを連結するスリットとなっている。これにより、取出部５０では、開放状態にある取出口２１からウェットティッシュ１００を挿通した後は、スライダ５１を取出口２１を閉塞する位置にスライド移動させることで、挿通されたウェットティッシュ１００が端辺５１ａ側のスリット５３を通って係合孔５２に係合されることとなる。このとき、スライダ５１のスライド移動に応じて、挿通されたウェットティッシュ１００は、取出口２１の係合凹部３２ａ側にある周面５４に押され、端辺５１ａ側のスリット５３を通って、係合孔５２に至ることとなる。
【００５５】
また、取出部５０では、スライダ５１が上蓋３の上面３ａ表面側に設けられていることから、ウェットティッシュ１００を係合孔５２に挿通した状態とする挿通作業の際に、上蓋３を取り外す必要がなく、さらに操作性に優れている。
【００５６】
４−３  第４の実施の形態
第４の実施の形態として示す収納容器１の取出部６０は、スライダ２２の代わりに、図６乃至図７に示すような略扇形に形成された４つのスライダ６１を有する。また、取出部６０は、ガイド片２７の代わりに、ボス６２と一対の傾斜凸部６２ａとが立設され、このボス６２及び一対の傾斜凸部６２ａにガイドされてスライダ６１が放射状にスライド移動する。この取出部６０のスライダ６１及びスライダ６１をガイドするボス６２、傾斜凸部６２ａは、上蓋３の上面３ａ表面側に設けられている。また、スライダ６１は、図６（Ａ）に示すように、ウェットティッシュ１００を引き出す方向に略直交する平面に対し、やや傾斜した方向にスライドする。
【００５７】
取出部６０の取出口２１は、図６（Ｂ）に示すように、略円形状であり、ウェットティッシュ１００を通すことができる大きさである。
【００５８】
取出部６０のスライダ６１は、主面が略扇形の薄板からなり、４つのスライダ６１により取出口２１を閉塞できる大きさに形成されている。４つのスライダ６１は、取出口２１を閉塞したときに取出口２１の略中心に位置する係合孔６３と、係合孔６３と連続し４つのスライダ６１により略十字形状となるスリット６４とからなる。また、各スライダ６１は、略扇形の半径に沿って、ボス６２が摺接するガイド溝６５が形成されている。
【００５９】
ボス６２及び一対の傾斜凸部６２ａは、上蓋３の上面３ａ表面側に立設される。ボス６２は、その断面が略矩形に形成されている。ボス６２は、スライダ６１のガイド溝６５と係合し、スライダ６１のスライド移動方向を規制する。また、一対の傾斜凸部６２ａは、ボス６２を挟むように、スライダ６１のスライド移動方向に平行に設けられている。この傾斜凸部６２ａは、図７（Ａ）、図７（Ｂ）に示すように、ボス６２の取出口２１側の端部から取出口２１に向かってその高さが増す傾斜が設けられている。スライダ６１は、この傾斜凸部６２ａにガイドされて、上蓋３の上面３ａに対して傾斜した方向にスライド移動する。また、ガイド溝６５には、その側面に複数の突部６５ａが形成されている。そして、この突部６５ａは、スライダ６１の、ボス６２に対するスライド移動を規制する。この突部６５ａにより、スライダ６１のスライド位置を固定することができ、係合孔６３、すなわちウェットティッシュ１００が挿通する孔の大きさを可変とすることができる。
【００６０】
係合孔６３は、各スライダ６１の扇形の中心を切り欠いて形成される。また、スリット６４は、係合孔６３と連続して切り欠いて形成される。
【００６１】
取出部６０では、開放状態にある取出口２１からウェットティッシュ１００を挿通した後は、図７（Ｂ）に示す状態から図７（Ａ）に示す状態に、４つのスライダ６１を取出口２１を閉塞する位置にスライド移動させることで、挿通されたウェットティッシュ１００が係合孔６３に係合されることとなる。このとき、取出部６０は、傾斜凸部６２ａにより各スライダ６１が上面３ａに対して傾斜する方向にスライド移動することとなり、取出口２１を閉塞する位置において、係合孔６３が最上位にある全体形状が略山状となる。このような取出部６０は、ウェットティッシュ１００が引き出される方向に傾斜することとなり、係合孔６３が最上位に位置することから、通常使用時においてウェットティッシュ１００が係合孔６３から外れにくく、係合された状態が維持される。
【００６２】
なお、取出部６０は、４つのスライダ６１がスライド移動することについて述べたが、これに限らず、４つ以上設けて、取出口２１を開閉するスライダであってもよい。また、傾斜凸部６２ａは、ボス６２を挟むように一対設けられることに限らず、１つ又は３つ以上設けるようにしてもよい。
【００６３】
４−４  第５の実施の形態
第５の実施の形態として示す収納容器１の取出部７０は、ガイド片２７によりガイドされて直線移動するスライダ２２の代わりに、図８（Ａ）乃至図８（Ｃ）に示すように、回動移動するスライダ７１を有する。
【００６４】
取出部７０の取出口２１は、図８（Ｂ）に示すように、略扇形状であり、ウェットティッシュ１００を通すことができる大きさである。
【００６５】
取出部７０のスライダ７１は、主面が略扇形の薄板からなり、回動軸７２により上蓋３に回動可能に取り付けられている。このスライダ７１は、取出口２１を閉塞できる大きさに形成されている。スライダ７１は、上蓋３の上面３ａ裏面側に設けられ、回動軸７２を中心にウェットティッシュ１００が引き出される方向に直交する平面内、すなわち上蓋３の上面３ａと略平行な面内を回動しながらスライドする。また、スライダ７１は、係合孔２３と重なる部分に係合孔２３の一部を構成する切欠部７１ａが形成されている。スライダ７１の回動軸７２は、図８（Ｃ）に示すように、上蓋３の上面３ａ表面側に臨まされており、この回動軸７２を摘んで回動操作することで、スライダ７１のスライド移動を行うことができる。
【００６６】
また、取出部７０は、図８（Ｂ）に示すように、係合孔２３と取出口２１とを連結する部位に、取出口２１側に張り出す突出片７３が設けられている。この突出片７３は、取出口２１からウェットティッシュ１００を挿通し、スライダ７１により取出口２１を閉塞するときに、当該ウェットティッシュ１００がスライダ７１と取出口２１周縁とに挟み込まれることを防止するものである。すなわち、突出片７３は、スライダ７１により取出口２１を閉塞するときに、挿通されたウェットティッシュ１００が確実に係合孔２３に導かれて係合されるようにするためのものである。
【００６７】
なお、スライダ７１は、上述のように扇形に形成されることに限らず、例えば略半円状の取出口２１を閉塞する略半円状とするものであってもよい。
【００６８】
４−５  第６の実施の形態
第６の実施の形態として示す収納容器１の取出部８０は、取出部５のスライダ２２の代わりに、図９（Ａ）乃至図９（Ｃ）に示すように、回動移動するスライダ８１を有する。
【００６９】
取出部８０の取出口２１は、図９（Ｂ）、図９（Ｃ）に示すように、長穴形状であり、ウェットティッシュ１００を通すことができる大きさである。取出口２１は、長穴を構成する両長辺の略中心近傍に、略円弧状の切欠部８３が形成されている。この切欠部８３は、ウェットティッシュ１００が係合する係合孔２３の一部を構成する。
【００７０】
取出部８０のスライダ８１は、主面が略円形の薄板からなり、取出口２１と略同一形状の長穴８２が形成されている。スライダ８１は、取出口２１と同様に、長穴８２を構成する両長辺の略中心近傍に略円弧状の切欠部８４が形成されている。スライダ８１は、略円形の中心点を中心にスライド回動できるように、上蓋３の上面３ａに取り付けられている。このスライダ８１は、回動することにより、係合孔２３を除いて取出口２１を閉塞する。スライダ８１は、上蓋３の上面３ａ表面側に設けられ、略円形の中心点を中心にウェットティッシュ１００が引き出される方向に直交する平面内、すなわち上蓋３の上面３ａと略平行な面内を回動しながらスライドする。
【００７１】
取出部８０は、図９（Ｂ）に示すように、スライダ８１の長穴８２を取出口２１と重なる位置とすることで、取出口２１を開放した状態とする。これにより、容器本体４内のウェットティッシュ１００を引き出すことができる。そして、スライダ８１をスライド回動することで、図９（Ｃ）に示すように、取出口２１を閉塞する。これにより、取出口２１の切欠部８３とスライダ８１の切欠部８４とで、略円形が形作られ係合孔２３となる。そして、取出口２１を挿通されたウェットティッシュ１００は、スライダ８１の回動移動により、係合孔２３に係合されることとなる。
【００７２】
このようにして、各取出部４０、５０、６０、７０、８０では、取出部５と同様に、簡便な操作によりウェットティッシュ１００が係合孔に係合された状態とすることができる。また、取出部４０、５０、６０、７０、８０を有する収納容器では、ウェットティッシュ１００を取出部４０、５０、６０、７０、８０に挿通するときにのみ、取出口２１を開放状態とし、それ以外の通常使用時には、当該取出口２１が閉塞状態にあることから、ウェットティッシュ１００に含浸された水分、アルコール分等の蒸散を防止することができる。
【００７３】
なお、上述の取出部４０、５０、６０、７０、８０は、これに限定されるものではなく、これらの取出部の構成を如何様に組み合わせるようにしてもよい。例えば、第３の実施の形態として示した取出部５０に、取出部４０のバネ４１を設けるようにしてもよく、第５の実施の形態において示した突出片７３を他の取出部に設けるようにしてもよい。また、取出部のスライダを上蓋３の上面３ａ裏面側に設けず、上面３ａ表面側に設けるようにしてもよい。このようにすると、挿通作業の際に、スライダを操作するために、上蓋３を取り外す作業を省略することができ、さらに、操作性が向上する。
【符号の説明】
【００７４】
１  収納容器、２  ケース、２ａ  開口部、３  上蓋、３ａ  上面、４  容器本体、５、４０、５０、６０、７０、８０  取出部、６  蓋体、６ａ  指掛部、７  凹部、８  第１の環状壁部、９  回動支持部、１１  指掛用凹部、１２  回動支持部用凹部、１３  第２の環状壁部、２１  取出口、２２、５１、６１、７１、８１  スライダ、２３  係合孔、２４、２９  スリット、２５  係合片、２５ａ  係合凸部、２６  摘み部、２７  ガイド片、２８  規制片、３０、３１  切欠部、３２ａ  係合凹部、７３  突出片、１００  ウェットティッシュ、１０５  ロール体、１１０  ミシン目
【図１】
0005410200.tif 000002
【図２】
0005410200.tif 000003
【図３】
0005410200.tif 000004
【図４】
0005410200.tif 000005
【図５】
0005410200.tif 000006
【図６】
0005410200.tif 000007
【図７】
0005410200.tif 000008
【図８】
0005410200.tif 000009
【図９】
0005410200.tif 000010